(57)【要約】      （修正有）【課題】完成した靴の内底上に配置された中敷と同様に、足裏に直接接するように配置されつつ、同時に、中底板本体に衝撃吸収材を配置した場合と同様の効果をも奏することのできる靴用中底を提供する。【解決方法】中底板本体のふみつけ部の少なくとも一部に靴内底にて露出させるための衝撃吸収材を配置した靴用中底を実現する。本靴用中底及び靴は、完成した靴の内底上に配置された中敷と同様に、足裏に直接接するように配置されつつ、同時に、中底板本体に衝撃吸収材を配置した場合と同様に、確実な位置決めを行うことができ、靴の製造も容易である。【選択図】図１
0003174314.tif 000002
【実用新案登録請求の範囲】
【請求項１】
中底板本体のふみつけ部の少なくとも一部に靴内底にて露出させるための衝撃吸収材を配置した靴用中底。
【請求項２】
前記衝撃吸収材とともに、又は衝撃吸収材に代えて、滑り止め材料を配置した請求項１に記載の靴用中底。
【請求項３】
前記衝撃吸収材は、滑り止め機能を有する請求項１又は２に記載の靴用中底。
【請求項４】
中底板本体のふみつけ部の少なくとも一部に衝撃吸収材を配置し、
配置された衝撃吸収材の少なくとも一部が、靴内底にて露出することとなるように構成された靴。
【請求項５】
前記衝撃吸収材とともに、又は衝撃吸収材に代えて、滑り止め材料を配置した請求項４に記載の靴。
【請求項６】
前記衝撃吸収材は、滑り止め機能を有する請求項４又は５に記載の靴。
【請求項７】
中底板本体のふみつけ部に配置された衝撃吸収材又は／及び滑り止め材料の上にさらに配置され、少なくとも衝撃吸収材又は／及び滑り止め材料の一部が靴内底にて露出するような穴又は／及び切り込みを備えた中敷きを有する請求項４から６のいずれか一に記載の靴。
【考案の詳細な説明】
【技術分野】
【０００１】
本考案は、靴用中底及びこの靴用中底を利用した靴に関する。
【背景技術】
【０００２】
中底は、中底板本体と呼ばれる板状の部材により構成される。中底板本体はパルプボードなどにより構成され、靴内底の形状を形作る。さらに、中底には、履き心地を良くする為に、衝撃吸収材を備える場合もある。特許文献１には、中底板（本件考案の中底板本体に該当）にパット（本件考案の衝撃吸収材に該当）を配置したものが開示されている。
【先行技術文献】
【特許文献】
【０００３】
【特許文献１】特開２００５−３４２８６
【考案の開示】
【考案が解決しようとする課題】
【０００４】
中底は、靴の製作工程で組み付けられるので、靴の中における中底の各位置は固定されている。そこで、中底板本体に衝撃吸収材を配置すれば、靴の中に後から衝撃吸収材等を配置する場合、特に利用者が後から自分で衝撃吸収材等を取り付ける場合に比べて、正確な位置決めが可能となる。また、中底板本体に衝撃吸収材を予め配置することで、靴の製作工程を簡単にできる。
【０００５】
本願出願人は、完成した靴の内底上に配置された中敷と同様に、足裏に直接接するように配置されつつ、同時に、上記中底板本体に衝撃吸収材を配置した場合と同様の効果をも奏し得る靴用中底を実現した。
【課題を解決するための手段】
【０００６】
そこで、以上の課題を解決するため、本願出願人は、次の靴用中底および靴を提案する。
【０００７】
第一の考案として、中底板本体のふみつけ部の少なくとも一部に靴内底にて露出させるための衝撃吸収材を配置した靴用中底、を提案する。
【０００８】
第二の考案として、前記衝撃吸収材とともに、又は衝撃吸収材に代えて、滑り止め材料を配置した第一の考案に記載の靴用中底、を提案する。
【０００９】
第三の考案として、前記衝撃吸収材は、滑り止め機能を有する第一の考案又は第二の考案に記載の靴用中底、を提案する。
【００１０】
第四の考案として、中底板本体のふみつけ部の少なくとも一部に衝撃吸収材を配置し、配置された衝撃吸収材の少なくとも一部が、靴内底にて露出することとなるように構成された靴、を提案する。
【００１１】
第五の考案として、前記衝撃吸収材とともに、又は衝撃吸収材に代えて、滑り止め材料を配置した第四の考案に記載の靴、を提案する。
【００１２】
第六の考案として、前記衝撃吸収材は、滑り止め機能を有する第四の考案または第五の考案に記載の靴、を提案する。
【００１３】
第七の考案として、中底板本体のふみつけ部に配置された衝撃吸収材又は／及び滑り止め材料の上にさらに配置され、少なくとも衝撃吸収材又は／及び滑り止め材料の一部が靴内底にて露出するような穴又は／及び切り込みを備えた中敷きを有する第四の考案から第六の考案のいずれか一に記載の靴、を提案する。
【考案の効果】
【００１４】
本件考案の靴用中底及び靴は、完成した靴の内底上に配置された中敷と同様に、足裏に直接接するように配置されつつ、同時に、中底板本体に衝撃吸収材を配置した場合と同様に、確実な位置決めを行うことができ、靴の製造も容易である。
【考案を実施するための形態】
【００１５】
以下、本件考案の実施の形態について、添付の図面を用いて説明する。なお、本件考案は、これら実施形態に何ら限定されるべきものではなく、その要旨を逸脱しない範囲において、種々なる態様で実施し得る。なお、実施形態１は、主に請求項１及び４などに関する。実施形態２は、主に請求項２及び５などに関する。実施形態３は、主に請求項３及び６などに関する。実施形態４は、主に請求項７などに関する。
<<実施形態１>>
<実施形態１：概要>
【００１６】
本実施形態の靴用中底は、（１）靴内底にて露出させるための衝撃吸収材を備える点、（２）この衝撃吸収材は、中底板本体のふみつけ部の少なくとも一部に配置されている点に特徴を有する。
<実施形態１：構成>
【００１７】
図１は、本実施形態の靴用中底（右足用）の一例を示す概念図である。（ａ）が平面図（靴内底側の面）、（ｂ）がＡ方向から見た側面図、（ｃ）が断面図、（ｄ）が底面図（靴底側の面）である。
【００１８】
本実施形態の靴用中底は、中底板本体と、衝撃吸収材と、からなる。
【００１９】
「中底板本体」は、靴の中底を構成する中底板本体である。本明細書において「中底」とは、完成品となる靴の一部品であり、靴の製作工程で組み付けられ取り外しができないものをいう。中底は、履物の部品として流通する場合もあれば、完成品である靴と一体に流通する場合もある。図１では、女性用ハイヒールの靴の中底を例として図示しており、中底板本体（０１０１）は、全中底（０１０２）と、シャンク（ばねの働きをする金属製またはカーボン製の部材。図１（ｄ）において０１０５で示された部品であり、ハトメ（０１０６）で取り付けられている。）を取り付けた半中底（０１０３）とから構成されている。シャンクを取り付けた半中底は、ハイヒールなど踵の高い靴において、中底板本体が足から受ける荷重によって変形しないように補強するためのものである。したがって、男性用の靴やかかとの低い靴などに使用される場合には、中底板本体は、全中底にシャンクを取り付けて構成されていても良い。全中底は、靴内底の形状を形作る板状の部材である。パルプボードなどにより構成される。
【００２０】
本実施形態の靴用中底の衝撃吸収材は、中底板本体のふみつけ部の少なくとも一部に配置される。「中底板本体のふみつけ部」について、図２を用いて説明する。図２（ａ）は、右足を足裏から見た足骨格図である。足（０２０１）の第一中足骨頭（Ａ）、第二中足骨頭（Ｂ）、第三中足骨頭（Ｃ）、第四中足骨頭（Ｄ）、第五中足骨頭（Ｅ）、の各中足骨頭をわたる領域（０２０２ａ）が図示されている。第一中足骨頭から第五中足骨頭まで、各中足骨頭をわたる領域は、歩行・走行時に、足裏が地面と強く接触することとなる部分である。図２（ｂ）は、足（０２０１）と、靴用中底（０２０３）とを重ね合わせた様子を示す模式図である。中底板本体のなかで、靴を履いた足の第一中足骨頭から第五中足骨頭まで、各中足骨頭をわたる領域に対応する部分をふみつけ部（０２０２ｂ）と呼ぶ。衝撃吸収材（０２０４）は、中底板本体のふみつけ部の少なくとも一部に配置される。
【００２１】
本実施形態の靴用中底の衝撃吸収材は、靴内底にて露出させるためのものである。「靴内底にて露出させる」とは、靴を履いた足裏の少なくとも一部が衝撃吸収材に触れる状態となるように、完成品の靴の靴内底にて露出させることをいう。図３は、完成品の靴（ハイヒール）の一例を説明するための図である。（ａ）では、各部材を分かりやすいように分離して表示しており、（ｂ）ではこれらの各部材で構成された完成品の靴を示している。本実施形態の靴（０３０１）は、甲革（０３０２）と、中物（０３０３）と、靴用中底（０３０４）と、靴底（０３０５）と、ヒール（０３０６）などからなる。甲革が靴用中底の外周に沿って、靴底側に釣り込まれて固定され、靴底が貼り付けられ、ヒールが靴用中底から釘を打ち込む等の方法により固定される。そして、靴用中底表面に露出した釘を覆うために中物（不織布、レザーボード、皮、パルプボードなどの種類がある。）が靴用中底表面に取り付けられる。一般的な靴では、中物にさらにかぶせて靴内底の全面にわたって中敷が靴内底表面を覆うように構成されている。しかしながら、本実施形態の靴では、中敷は、中底板本体のふみつけ部の少なくとも一部には設けられておらず、衝撃吸収材を靴内底にて露出させる構成となっている。
【００２２】
「衝撃吸収材」は、歩行・走行時等に足にかかる衝撃を吸収するための部材である。スポンジ、ゴム、合成樹脂、シリコンゲルなど、衝撃を吸収するとの目的を達成できれば、材質を問わない。
【００２３】
ただし、衝撃吸収材が靴内底にて露出するために、衝撃吸収材は、靴の脱ぎ履きや歩行・走行時に足裏と擦れることとなる。そこで、衝撃吸収材は、耐摩耗性が良い材料であることが好ましい。また、衝撃吸収材が、靴内底にて露出することとなるので、靴を脱いだときには、衝撃吸収材が靴の中で見える場合がある。したがって、様々な色によりデザイン性の高い衝撃吸収材を実現できると好ましい。耐磨耗性や、デザイン性の観点からは、例えば、ＰＯＲＯＮ（登録商標）などの、高密度マイクロセルウレタンフォームを用いると良い。
<実施形態１：効果>
【００２４】
本実施形態の靴用中底及び靴は、完成した靴の内底上に配置された中敷と同様に、足裏に直接接するように配置されつつ、同時に、中底板本体に衝撃吸収材を配置した場合と同様に、確実な位置決めを行うことができ、靴の製造も容易である。
<<実施形態２>>
<実施形態２：概要>
【００２５】
本実施形態の靴用中底及び靴は、実施形態１を基本としつつ、さらに、衝撃吸収材とともに、又は衝撃吸収材に代えて、滑り止め材料を配置している点に特徴を有する。
<実施形態２：構成>
【００２６】
本実施形態の靴用中底は、中底板本体と、衝撃吸収材又は／及び滑り止め材料と、からなる。中底板本体と、衝撃吸収材と、については、実施形態１で述べたところと同様である。
【００２７】
本実施形態の靴用中底は、衝撃吸収材とともに、又は衝撃吸収材に代えて、滑り止め材料を配置している。「滑り止め材料」は、足裏が靴に対して滑ることを防止可能な、摩擦係数の高い材料である。特にヒールの高い靴では、足が、靴の中でつま先側に前すべりしやすい。足が、靴の中で前すべりしてしまうと、足のつま先が痛くなったり、外反母趾、内反小趾などの原因になったりする。前述のとおり、中底板本体のふみつけ部は、足裏と強く接することとなるので、この部分の少なくとも一部が滑り止め材料からなることにより、足が、靴の中で前すべりするのを防止できる。
<実施形態２：効果>
【００２８】
本実施形態の靴用中底及び靴は、完成した靴の内底上に配置された中敷と同様に、足裏に直接接するように配置されつつ、同時に、中底板本体に衝撃吸収材を配置した場合と同様に、確実な位置決めを行うことができ、靴の製造も容易である。
<<実施形態３>>
<実施形態３：概要>
【００２９】
本実施形態の靴用中底及び靴は、実施形態１又は２を基本としつつ、衝撃吸収材が滑り止め機能を有する点に特徴がある。
<実施形態３：構成>
【００３０】
本実施形態の靴用中底は、中底板本体と、衝撃吸収材又は／及び滑り止め材料と、からなる。中底板本体と、衝撃吸収材と、滑り止め材料と、については、以下に述べる点を除き、実施形態１及び２で述べたところと同様である。
【００３１】
本実施形態の靴用中底の衝撃吸収材は、滑り止め機能を有する。「滑り止め機能」は、足裏が靴に対して滑ることを防止可能な機能である。前述した、ＰＯＲＯＮ（登録商標）などの、高密度マイクロセルウレタンフォームを中底板本体に熱圧着してなる衝撃吸収材は、滑り止め機能をも有するので、衝撃吸収材として、特に好ましい。あるいは、前すべりを防止するために、衝撃吸収材の足裏に接する側の面に、エンボス加工や、足が前すべりしようとする力に抗するような足幅方向に平行な溝などを設けても良い。
<実施形態３：効果>
【００３２】
本実施形態の靴用中底及び靴は、完成した靴の内底上に配置された中敷と同様に、足裏に直接接するように配置されつつ、同時に、中底板本体に衝撃吸収材を配置した場合と同様に、確実な位置決めを行うことができ、靴の製造も容易である。
<<実施形態４>>
<実施形態４：概要>
【００３３】
本実施形態の靴は、実施形態１から３を基礎としつつ、さらに、穴又は／及び切り込みを備えた中敷を有する点に特徴がある。
<実施形態４：構成>
【００３４】
本実施形態の靴は、靴用中底と、中敷を有する。
【００３５】
靴用中底は、中底板本体と、衝撃吸収材又は／及び滑り止め材料と、からなる。中底板本体、衝撃吸収材、滑り止め材料については、実施形態１から３で述べたところと同様である。
【００３６】
「中敷」は、中底板本体と一体化し、または、一体化しておらず、完成品の靴の一部として備えられている場合と、完成品の靴に追加部品として後で取り付けられ、取り付け、取り外し可能なものとがある。中敷は、中底板本体のふみつけ部に配置された衝撃吸収材又は／及び滑り止め材料の上にさらに配置される。この場合、中敷が、靴用中底の衝撃吸収材又は／及び滑り止め材料の上を全部覆うと、靴内底にて露出させるとの本実施形態の構成を満たさなくなる。そこで、中敷には、穴又は／及び切り込みが備えられる。「穴又は／及び切り込み」は、少なくとも衝撃吸収材又は／及び滑り止め材料の一部が靴内底にて露出するようにする役割を有する。図４は、穴を備えた中敷の一例である。（ａ）が中敷（０４０１）であり、穴（０４０２）を備えている。（ｂ）は靴用中底（０４０３）であり、これらを重ね合わせた（ｃ）では、中敷（０４０１）の穴の部分から、靴用中底の衝撃吸収材又は／及び滑り止め材料（０４０４）の一部が靴内底にて露出する。
<実施形態４：効果>
【００３７】
本実施形態の靴用中底及び靴は、完成した靴の内底上に配置された中敷と同様に、足裏に直接接するように配置されつつ、同時に、中底板本体に衝撃吸収材を配置した場合と同様に、確実な位置決めを行うことができ、靴の製造も容易である。また、中敷を備えることで、さらに中敷によってデザイン性を高めたり、履き心地を良くしたりすることができる。
【図面の簡単な説明】
【００３８】
【図１】実施形態１の靴用中底の一例を示す図
【図２】実施形態１の靴用中底のふみつけ部と足との位置関係を説明するための図
【図３】実施形態１のインソールの一例を示す図
【図４】実施形態４の中敷
【符号の説明】
【００３９】
０１０１  中底板本体
０１０２  全中底
０１０３  半中底
０１０４  衝撃吸収材
０２０２ｂ  ふみつけ部
【図１】
0003174314.tif 000003
【図２】
0003174314.tif 000004
【図３】
0003174314.tif 000005
【図４】
0003174314.tif 000006